(57)【要約】【課題】【解決手段】複数の通信モード環境でマルチモードワイヤレス装置からメッセージを送信する方法と、装置と、コンピュータ読み取り可能な媒体とを提供する。好ましい通信モードが、ワイヤレス装置によって支持されている複数の通信モードから選択される。好ましいメッセージサービスが、メッセージの中身と好ましい通信モードとに基いて、選択される。そして、好ましいメッセージサービスと、ワイヤレス装置のアクティブな通信モードとの両立性が、判断される。好ましいメッセージサービスがアクティブな通信モードと両立する場合は、メッセージは、アクティブな通信モードに従い、好ましいメッセージサービスを利用して送信される。
2005528063.tif 000002
【特許請求の範囲】
【請求項１】
複数の通信モード環境でワイヤレス装置からメッセージを送信する方法であって、
前記ワイヤレス装置によって支持されている複数の通信モードから好ましい通信モードを選択することと、
メッセージの中身と前記好ましい通信モードとに基いて、好ましいメッセージサービスを選択することと、
この好ましいメッセージサービスと、ワイヤレス装置のアクティブな通信モードとの両立性を判断することとを具備し、
前記好ましいメッセージサービスがアクティブな通信モードと両立する場合は、アクティブな通信モードに従い、好ましいメッセージサービスを利用してメッセージを送信する、方法。
【請求項２】
前記好ましい通信モードを含むメッセージオリジネーションモードを設定するためにメッセージオリジネーションモードでの好みを受信することを更に具備し、前記好ましいメッセージサービスの選択は、更に、このメッセージオリジネーションモードに基いてなされる、請求項１の方法。
【請求項３】
前記メッセージを好ましいメッセージサービスに従ってフォーマットすることを更に具備している、請求項１の方法。
【請求項４】
前記好ましいメッセージサービスがアクティブな通信モードと両立しない場合は、アクティブな通信モードを、好ましいメッセージサービス及び好ましい通信モードと両立する次の通信モードに再設定することを更に具備している、請求項１の方法。
【請求項５】
前記好ましいメッセージサービスが次の通信モードと両立する場合は、この次の通信モードに従い、好ましいメッセージサービスを利用してメッセージを送信することを更に具備している、請求項４の方法。
【請求項６】
受信メッセージに対する応答として前記メッセージを送信せよとのリクエストを受信することを更に具備している、請求項１の方法。
【請求項７】
ユーザーから前記中身を受信したことに応じて前記メッセージを送信せよとのリクエストを受信することを更に具備している、請求項１の方法。
【請求項８】
複数の通信モード環境でワイヤレス装置からメッセージを送信する装置であって、
前記ワイヤレス装置によって支持されている複数の通信モードから好ましい通信モードを選択し、メッセージの中身と好ましい通信モードとに基いて好ましいメッセージサービスを選択し、そして、この好ましいメッセージサービスと、ワイヤレス装置のアクティブな通信モードとの両立性を判断するための制御プロセッサと、
前記好ましいメッセージサービスがアクティブな通信モードと両立する場合は、アクティブな通信モードに従い、好ましいメッセージサービスを利用して前記メッセージを送信するように構成された通信モジュールとを具備している、装置。
【請求項９】
ユーザーからメッセージオリジネーションモードでの好みを受信するユーザーインタフェースを更に具備し、このメッセージオリジネーションモードでの好みは、ワイヤレス装置によって支持されている１つ以上の通信モードから、好ましい通信モードを含んだメッセージオリジネーションモードを設定するように構成されており、また、前記好ましいメッセージサービスの選択は、更に、メッセージオリジネーションモードに基いてなされる、請求項８の装置。
【請求項１０】
前記制御プロセッサは、更に、メッセージサービスに従ってメッセージをフォーマットするように構成されている、請求項８の装置。
【請求項１１】
前記制御プロセッサは、好ましいメッセージサービスがアクティブな通信モードと両立しない場合に、好ましいメッセージサービスと両立する次の通信モードを選択するように構成されている、請求項８の装置。
【請求項１２】
複数の通信モード環境でワイヤレス装置からメッセージを送信する装置であって、
制御プロセッサと、
この制御プロセッサに指示を与えるコードを含むコンピュータ読み取り可能な媒体とを具備し、前記コードは、
ワイヤレス装置によって支持されている多くの通信モードから好ましい通信モードを選択するコードと、
メッセージの中身と好ましい通信モードとに基いて、好ましいメッセージサービスを選択するコードと、
好ましいメッセージサービスと、ワイヤレス装置のアクティブな通信モードとの両立性を判断するコードと、
好ましいメッセージサービスがアクティブな通信モードと両立する場合は、このアクティブな通信モードに従い、好ましいメッセージサービスを利用してメッセージを送信するコードとを有している、装置。
【請求項１３】
好ましい通信モードを含むメッセージオリジネーションモードを設定するためにメッセージオリジネーションモードでの好みを受信するコードと、
前記好ましいメッセージサービスの選択が、更に、メッセージオリジネーションモードに基いてなされるコードとを更に具備している、請求項１２の装置。
【請求項１４】
好ましいメッセージサービスに従ってメッセージをフォーマットするコードを更に具備している、請求項１２の装置。
【請求項１５】
前記好ましいメッセージサービスがアクティブな通信モードと両立しない場合は、アクティブな通信モードを、好ましいメッセージサービス及び好ましい通信モードと両立する次の通信モードに再設定するコードを更に具備している、請求項１２の装置。
【請求項１６】
前記好ましいメッセージサービスが次の通信モードと両立する場合は、次の通信モードに従い、好ましいメッセージサービスを利用して前記メッセージを送信するコードを更に具備している、請求項１５の装置。
【請求項１７】
受信メッセージに対する応答として前記メッセージを送信せよとのリクエストを受信するコードを更に具備している、請求項１２の装置。
【請求項１８】
ユーザーから前記中身を受信したことに応じて前記メッセージを送信せよとのリクエストを受信するコードを更に具備している、請求項１２の装置。
【発明の詳細な説明】
【技術分野】
【０００１】
本発明は、データ通信、特に、複数の通信モード環境におけるワイヤレス装置からのメッセージの送信に関する。
【背景技術】
【０００２】
種々の通信プロトコルに従って動作する様々の通信システムが、メッセージの通信を可能にする。一般に、メッセージの通信は、種々のメッセージサービスを通じて行われる。こうしたメッセージサービスの１つが、ショートメッセージサービス（SMS）である。SMSは、制限サイズ内の英数字メッセージの通信のための媒体を提供するワイヤレスメッセージサービスである。SMSメッセージの通信は、１つか複数のモバイル機器とワイヤレスネットワークとの間で行われる。SMSは、電子メール、ポケットベル、ファクシミリ、ボイスメール、もしくは、インターネット接続のような多様な通信サービスに利用され得る。SMSは、モバイルコミュニケーションのためのグローバルシステム（GSM）規格と、CDMA１X、CDMA２０００及びWCDMAのような符号分割多元接続（CDMA）規格とに従って動作する通信システムで利用され得る。これらの規格は、データ通信のためにプロトコルの特定のセットを備え得る。このような特定のセットのプロトコルは、ジェネラルパケットラジオサービス（GPRS）とユニバーサルモバイルテレコミュニケーションズサービス（UMTS）とを有している。
【０００３】
他のタイプのメッセージサービスが、エンハンスドメッセージングサービス（EMS）として知られている。EMSは、EMSに準拠したモバイル機器のユーザーが、テキスト、メロディ、写真、単純な音及び動画、もしくは、これらの組み合わせを送信及び受信できるようにする。EMSは、また、多数の通信規格によって支持されている。
【０００４】
多くの通信モードを有しているモバイル機器は、１つ以上の規格に従ってデータを通信する動作を支持し得る。かくして、モバイル機器は、マルチモードワイヤレス装置（MWD）であってよい。MWDは、ユーザーが、各々が１つの通信規格に従って動作する多くのワイヤレスネットワークを通じて、声とデータとを送信及び受信できるようにする。通信モードは、これには限定されないが、CDMAもしくはGSMに準拠した（GSM-based）システムか、GPRSもしくはUMTSなどのGSMに準拠した派生規格での動作を有している。他のCDMAに準拠したシステムは、また、CDMA１X、CDMA２０００などに含まれている。MWDは、一般に、メッセージを送信及び受信するために、SMS及びEMSと両立される。
【発明の開示】
【発明が解決しようとする課題】
【０００５】
殆どの通信モードは、少なくとも１つのメッセージサービスを提供する。しかしながら、各メッセージサービスは、独特のフォーマットと、インタフェースと、メッセージを作成し、送信し、受信するためのプロトコルとを有している。従来は、モバイルサービスのプロバイダが、そのプロバイダのサービスのための１つのワイヤレスシステムを、ユーザーに選択させていた。かくして、ワイヤレス装置は、１セットのメッセージサービスのみを支持しなくてはならなかった。
【０００６】
しかしながら、MWDの普及により、各メッセージサービス独自の規格だけでなく、多くの通信モードに対応するために多くのメッセージサービスを支持できることが必要とされるようになった。現在は、MWDのユーザーが、どのワイヤレス通信モードが使用できるかを判断し、適当な対応するメッセージサービスを手動で選択しなくてはならない。更に、MWDは、各メッセージサービスごとに異なるアプリケーションを採用することができ、各アプリケーションは、独自のインタフェースと、メッセージを送信するための一連の手順とを有している。
【０００７】
このように、ワイヤレス通信モードとメッセージサービスとが自動的に選択され得るメッセージ送信方法並びに装置が、当分野で必要とされている。
【課題を解決するための手段】
【０００８】
本明細書に開示されている実施形態は、新規の改良された方法と、装置と、ワイヤレス装置からメッセージを送信するコンピュータ読み取り可能な媒体とを提供することによって、上述された需要に取り組んでいる。本発明の様々の態様に係わって、１つ以上のワイヤレス通信システムを支持するワイヤレス装置が、メッセージを送信する方法を実施する。この方法は、ワイヤレス装置によって支持されている複数の通信モードの中から好ましい通信モードを選択することを有している。この方法は、更に、メッセージの中身と好ましい通信モードとに基いて、好ましいメッセージサービスを選択することを有している。この方法は、更に、好ましいメッセージサービスと、ワイヤレス装置のアクティブな通信モードとの両立性を判断し、好ましいメッセージサービスがアクティブな通信モードと両立する場合は、アクティブな通信モードに従い、好ましいメッセージサービスを利用してメッセージを送信することを更に具備している。
【発明を実施するための最良の形態】
【０００９】
図１は、本発明の様々の態様に従って動作するワイヤレス通信システム１００を例示している。このワイヤレス通信システム１００内の様々のブロックインタフェースでの通信は、暫定規格-41Cかこれの変形規格に従うものである。ワイヤレス通信システム１００は、他のデータ通信システムと統合され得る。作動中は、メッセージが、各ユーザーによって操作されているワイヤレス装置１０２、１０３及び１０４と、１つ以上の外部ショートメッセージングエンティティ（ESME）１０５との間で通信される。各ワイヤレス装置は、任意のタイプのワイヤレス通信装置であってよい。このような装置は、コンピュータあるいはコンピュータのように動作する装置などの他のタイプの装置に接続されるか、統合され得る。ワイヤレス装置は、また、ワイヤレスローカルループかメーター読み取りシステムかこれらの組み合わせなどの固定位置から作動し得る。ワイヤレス装置１０３は、通信システム１００で多様な通信規格に従って動作するように作られている。かくして、ワイヤレス装置１０３は、MWDであってよい。
【００１０】
ESME１０５は、ボイスメールシステム１０６と、インターネットもしくは閉じられたイントラネット１０８と、電子メールシステム１１０と、ファックスマシン、ポケットベル、端子（terminal）もしくはコンピュータのような他のシステム１１２とを含む。システム１００は、メッセージセンターとして知られているショートメッセージサービス（SMSC）１１４を含む。他のメッセージセンターが、異なるメッセージサービスを処理するために採用されてもよい。SMSC１１４は、ESME１０５と、通信システム１００内のワイヤレス装置との間でネットワーク経路１９９と１９８とを通じてメッセージをリレーし、保管し、転送するためのハードウェアとソフトウェアとの組み合わせであってよい。
【００１１】
ネットワーク経路１９９と１９８とは、ゲートウェイとして公知の、１つ以上の信号伝送ポイント（STP）１１６（Ａ）及び１１６（Ｂ）を含む。STP１１６（Ａ）及び１１６（Ｂ）は、シグナリングシステム７（SS7）リンクか同様のチャネルを介して多様なネットワーク要素とのIS-41C相互接続を可能にするように、SMSC１１４と接続されている。ホームロケーションレジスター（HLR）１１８（Ａ）、１１８（Ｂ）は、夫々に、STP１１６（Ａ）、１１６（Ｂ）と接続されている。各HLRは、ユーザーの加入者データとサービスプロファイルとを含むデータベースを含む。SMSC１１４からのリクエストに応えて、HLR１１８（Ａ）か１１８（Ｂ）が、指示されているユーザーのためのルーティング情報を提供する。また、メッセージの配送が試みられた時に受信者が応じられなかった場合、HLR１１８は、受信者がアクセス可能となり、メッセージが配送可能となった時に、SMSC１１４に通知する。各STPは、１つ以上のモバイルスイッチングセンター（MSC）１２０（Ａ）及び１２０（Ｂ）と接続されている。各MSCは、スイッチング機能を果たし、夫々の無線アクセスネットワーク（RAN）１２２及び１２３への、並びに、これからのメッセージのルーティングを制御する。モバイル機器を有しているRAN１２２及びRAN１２３からのワイヤレス通信は、異なる規格によって規定されたエアプロトコル（air protocols）によって異なっている。例えば、RAN１２３がGSM規格に従って動作、RAN１２２がCDMA規格に従って動作してもよい。MWD１０３は、RAN１２２、１２３を夫々に有している２つの規格に従って、動作することができる。
【００１２】
説明を簡単にするために、システム１００は、SMSC１１４が２つのネットワーク経路１９９及び１９８と連通された形で示されている。各ネットワーク経路は、１つの信号伝送ポイント（STP）と１つのモバイルスイッチングセンター（MSC）と１つの無線アクセスネットワーク（RAN）とを有し得る。
【００１３】
しかしながら、付加的なSTP、MSC及びRANが、各ネットワーク経路内で使用されてもよい。従って、システム１００は、ESME１０５と、SMSC１１４と、STP、MSC及びRANの内の少なくとも１つを有しているネットワーク経路とを備えていてもよい。システム１００は、１つ以上のSMSC１１４か、同様のメッセージセンターかを有していてよい。
【００１４】
一例では、ワイヤレス装置１０２は、第１のワイヤレス通信モードを利用しているRAN１２２を含むワイヤレスネットワークとのみ両立される。同様に、ワイヤレス装置１０４は、第２のワイヤレス通信モードを利用しているRAN１２３を含むワイヤレスネットワークとのみ両立される。ワイヤレス装置１０２は、RAN１２３に関連しているネットワーク経路を通じてシステム１００と通信し得ないし、ワイヤレス装置１０４も、RAN１２２に関連しているネットワーク経路を通じてシステム１００と通信し得ない。例えば、RAN１２２は、CDMA規格に従って動作し、RAN１２３は、GSM規格に従って動作し得る。MWD１０３は、RAN１２２と１２３との両方で動作し得る。
【００１５】
CDMAやGSMモードのような異なる通信モードの場合は、メッセージサービスが異なるフォーマットを要求し得る。例えば、CDMA SMSメッセージは、GSM SMSメッセージとは違う形にフォーマットされる。しかしながら、MWD１０３は、ワイヤレスネットワークが夫々にRAN１２２か１２３かのどちらかに接続され、これらが夫々異なる通信モードに従って動作している場合にさえも、これらネットワークと通信できるように構成されている。ワイヤレス装置１０２、１０３、１０４は、加入されているサービスに応じて、異なるタイプのメッセージを受信し得る。特に、MWD１０３は、１つ以上の通信モードに従って動作することによって、CDMAやGSMモードといった異なる通信モードに従って動作する様々の源からのメッセージを受信できる。
【００１６】
本発明の様々の態様に係われば、MWD１０３は、メッセージの中身（content）と、利用可能なワイヤレスネットワークと通信するために使用される通信モードとに基いて、メッセージサービスを自動的に選択する。あるいは、MWD１０３は、通信されるメッセージと好ましい通信モードとに基いて、MWDが支持している１つ以上のメッセージサービスから１つのメッセージサービスを選択する。
【００１７】
図２は、本発明の様々の態様に係わって複数の通信モード環境でMWDからメッセージを送信するための様々の工程を示しているフローチャート２００である。工程２０２で、MWDが、メッセージオリジネーションモードでの好みを受信する。メッセージオリジネーションモードでの好みは、MWDにインプットされるもので、メッセージオリジネーションモードを設定するために、ユーザー、製造者、もしくはサービスプロバイダによって提供され得る信号もしくはコードである。
【００１８】
メッセージオリジネーションモードは、MWDによって支持されている複数の通信モードの中から、好ましい通信モード、即ち、通信モードのプライオリティースキームを、選択もしくは指定する。好ましい通信モードは、メッセージをオリジネート（即ち、受信、フォーマット、及び作成する）し、送信するために、MWDによって使用され得る。
【００１９】
メッセージオリジネーションモードは、所定の通信モードがメッセージを送信するために使用され得る、自動モードを有し得る。CDMA１ｘのみのモードでは、メッセージが、CDMA１ｘに準拠したネットワークのみに送信される。GSM／GPRS／UMTSモードでは、CDMA１ｘ通信モードは、使用され得ず、メッセージは、サイズや中身などといった幾つかのメッセージのパラメータと一致したモードに従って、送信され得る。
【００２０】
メッセージは、工程２０４でのメッセージを入力せよとのユーザーリクエストに応じて、もしくは、後でより詳しく説明される工程２２４及び２２６での外部の送信者からMWDによって受信されたメッセージに対する応答として、オリジネートされ得る。ユーザーリクエストに応じて、MWDが、メッセージの中身を受信し、メッセージオリジネーションモードによって要求されているフォーマットとプロトコルとに従ってメッセージを作成する。工程２０６で、MWDが、ユーザーからメッセージ送信リクエストを受信する。
【００２１】
工程２０８で、MWDが、MWDによって支持されている複数のワイヤレスサービスの中から好ましいワイヤレスサービスを選択する。この選択は、MWDによって登録されている場合には、メッセージのパラメータとメッセージオリジネーションモードとに基いてなされる。例えば、メッセージがSMSメッセージであり、テキストのペイロードが１４０バイトを超える場合、このメッセージは、サービスオプション６（SO６、９．６kbpsの速度設定１）か、サービスオプション１４（SO１４、１４．４kbpsの速度設定２）かを利用して、CDMAトラフィックチャネルを通じて送信され得る。他の例では、CDMAが選択されたが、メッセージが、CDMAアクセスチャネルで送信され得る限界サイズの約７０バイトを越えている場合、MWDが、SO６かSO１４かを選択し、CDMAトラフィックチャネルでの呼を設定する。選択されたサービスオプションで失敗した場合は、MWDが、他のサービスオプションを試す。どちらのサービスオプションでも失敗した場合は、MWDが、WCDMAのような他のモードを試す。
【００２２】
工程２０９で、MWDが、選択された好ましいメッセージサービスと、装置の現在使用されているアクティブな通信モードとを比較し、これらが両立可能であるかどうかを判断する。決定工程２１０で示されているように、好ましいメッセージサービスがアクティブな通信モードと両立する場合、MWDが、工程２１２で、好ましいメッセージサービスを利用して、アクティブな通信モードと関連しているワイヤレスネットワークにメッセージを送信する。
【００２３】
好ましいメッセージサービスが現在アクティブな通信モードと両立しない場合、もしくは、メッセージの伝送が完了するまでにネットワーク接続が喪失した場合には、MWDは、工程２２０で示されているように、他の通信モードを選択する。MWDは、好ましいメッセージサービスとの両立性に基いて、もしあればメッセージオリジネーションモードでの好みによって登録された好みに従い、次の通信モードを選択する。決定工程２２２で、ネットワークの接続が、説明されたような次の適当な通信モードを利用して獲得され得た場合は、MWDが、工程２１２で、メッセージを次の適当な通信モードに関連しているワイヤレスネットワークに送信する。ネットワーク接続が獲得され得ない場合は、MWDが、工程２２０で、次の適当な通信モードを選択する。
【００２４】
次の適当な通信モードを利用してのネットワーク接続を獲得するために、MWDが、現在アクティブなモードのためのプロトコルのスタックを停止させ、新しく選択されたモードのためのプロトコルのスタックを開始させ、これによって、新しく獲得されたワイヤレスネットワークに合わせるようにハードウェアとファームウェアとを変化させる。あるいは、MWDは、複数のスタックを同時に行うこともできる。MWDは、新しく獲得されたワイヤレスネットワークからのプロトコル情報の到来を待ち、ネットワークとの対話（即ち、GSMのロケーションの更新、CDMAの登録など）を確立する。
【００２５】
メッセージがネットワークを通じてうまく送信された場合、MWDが、工程２１４で示されているように、メッセージの提出ステータス（トランスポート層確認応答メッセージ、GSM／UMTS提出レポートメッセージなど）をSMSC１１４から受信し得る。メッセージ提出ステータスは、好ましくは、使用されているワイヤレスシステムの規格によって指定された時間内に受信される。提出ステータスが、SMSC１１４がメッセージを受信し、ユーザーがメッセージ配送ステータス（CDMA配送確認応答メッセージ、GSM／UMTSステータスレポートメッセージなど）をリクエストしたことを示した場合、MWDが、工程２１６で、SMSCからメッセージ配送ステータスを受信し得る。ユーザーが送信メッセージに対する応答をリクエストした場合（CDMAユーザー確認応答、GSM応答パス（path））、MWDが、工程２１８で、リクエストされた応答を受信し得る。
【００２６】
ここで工程２２４に戻ると、この工程では、MWDが、多くのワイヤレス通信モードで多くのワイヤレスネットワークからメッセージを受信し得る。こうしたメッセージの送信者が応答をリクエストした場合、MWDのユーザーが、オリジナルのメッセージがどのシステムもしくはネットワークで受信されたのかを知る必要なく、送信されたメッセージに対する応答を発生させる。従って、工程２２６で、MWDが、受信されたメッセージに応答せよとのユーザーリクエストを受信する。そして、この応答データが受信され、応答メッセージが作成されると、MWDが、工程２０６で、ユーザーメッセージ送信リクエストを受信する。送信されたメッセージに応答するとき、MWDは、受信メッセージが到着した時にこのネットワークによって利用される通信モードを選択し得る。様々の工程のフローが、説明されているように進んでいく。当分野の当業者は、マルチモードワイヤレス装置によるメッセージ送信の工程を表す図２の例示的な工程が、本発明の主な範囲から逸脱することなく入れ替えられ、順序を変えられ得ることを理解するであろう。
【００２７】
図３は、本発明の様々の態様に係わってメッセージを送信するためのMWD１０３のブロック図３００である。MWD１０３は、異なる通信モードを用いたワイヤレスネットワークとの通信を可能にする通信モジュール３０２を有している。通信モジュール３０２は、関連した規格によって規定されている対応するプロトコルに従ってRAN１２２及び１２３と通信される間に、アンテナ３０４によって制御及びトラフィック信号を送信及び受信する。MWD１０３は、また、制御プロセッサ３０６とコンピュータ読み取り可能なメディア３０８とを有している。コンピュータ読み取り可能なメディア３０８は、制御プロセッサ３０６によって実施される１つ以上のソフトウェアモジュールを記憶している。MWD１０３は、また、コマンドと、リクエストと、指示と、データとをユーザーから受信するための、並びに、例えばMWDのディスプレイを通してユーザーに情報を提供するための、ユーザーインタフェース３１０を有している。図２のフローチャート２００に関連して規定され、説明された様々の工程は、ソフトウェアコードかハードウェアかこれら両方の組み合わせかによって形成され、コンピュータ読み取り可能なメディア３０８と制御プロセッサ３０６とによってMWD１０３に組み込まれ得る。このように、MWD１０３は、本発明の様々な態様に従って動作し得る。
【００２８】
また、当業者は、本明細書で開示された実施形態に関連して説明されている、様々の例示的な論理ブロック、モジュール、機能ブロック、並びに、アルゴリズムの工程が、電子ハードウェア、コンピュータ読み取り可能なメディアに記憶されたコンピュータソフトウェア、もしくは、これらの組み合わせに組み込まれ得ることが、理解できるだろう。ハードウェアとソフトウェアとがこのように交換可能であることを明瞭に説明するために、様々の例示的な部品、ブロック、モジュール、回路、及び工程が、主としてこれらの機能性についてここまで説明されてきた。更に、本明細書に開示されている実施形態に関連して説明されている様々の例示的な論理ブロック、モジュール、並びに、回路が、本明細書で説明された機能を果たすように設計されている、汎用プロセッサ、デジタル信号プロセッサ（DSP）、特定用途向けの集積回路（ASIC）、フィールドプログラマブルゲートアレイ（FPGA）、もしくは、他のプログラミング可能な論理素子、別個のゲートかトランジスタ論理、別個のハードウェア部品、もしくは、これらの所定の組み合わせによって、実現、即ち、実施される。汎用プロセッサは、マイクロプロセッサであってよいが、あるいは、所定の従来のプロセッサ、コントローラ、マイクロコントローラ、もしくは、状態機械であってもよい。プロセッサは、また、計算装置の組み合わせとして、例えば、DSPとマイクロプロセッサとの組み合わせ、複数のマイクロプロセッサ、DSPコアと連結された１つ以上のマイクロプロセッサ、もしくは、所定の他のこのような構成として、実行されてもよい。
【００２９】
本明細書で開示されている実施形態と関連して説明されている方法もしくはアルゴリズムの工程は、ハードウェアで直接的に実施されるか、ソフトウェアモジュールでプロセッサによって実施されるか、もしくは、これら２つを組み合わせて実施され得る。ソフトウェアモジュールは、RAMメモリ、フラッシュメモリ、ROMメモリ、EPROMメモリ、EEPROMメモリ、レジスタ、ハードディスク、リムーバブル・ディスク、CD-ROM、もしくは、当分野で公知の所定の他の記憶媒体に、備えられ得る。例示的な記憶媒体は、プロセッサが記憶媒体からの情報を読み取ったり、この記憶媒体に情報を書き送ったりできるように、プロセッサに結合されている。別の態様では、記憶媒体は、プロセッサに組み込まれ得る。プロセッサと記憶媒体とは、ASICに備えられ得る。ASICは、ワイヤレス装置に備えられ得る。別の態様では、プロセッサと記憶媒体とが、ワイヤレス装置に接続されたユーザー端子に別個の部品として備えられ得る。
【図面の簡単な説明】
【００３０】
【図１】多数のワイヤレスネットワークを有している通信システムのブロック図を示している。
【図２】本発明の様々の実施形態に係わってメッセージを送信する際のフローチャートを示している。
【図３】本発明の様々の実施形態に従ってメッセージを送信するための多モードワイヤレス装置のブロック図を示している。
【図１】
2005528063.tif 000003
【図２】
2005528063.tif 000004
【図３】
2005528063.tif 000005
【国際調査報告】
2005528063.tif 000006
2005528063.tif 000007